(57)【要約】【課題】コードの誤操作を抑える日射遮蔽装置を提供する。【解決手段】建築物に据え付けられる支持部材と、前記支持部材から垂れ下がる無端の環形状を有した操作コードＬＭであって、前記操作コードＬＭの操作時において前記支持部材から引き下げられる前記操作コードＬＭと、前記操作コードＬＭの非操作時において前記操作コードＬＭに第１屈曲部ＬＣ１を形成して、前記操作コードＬＭの無端縁Ｌｅを前記操作コードＬＭの操作時よりも高い前記コード保持部の近くに保持するコード保持部２０と、を備える。【選択図】図２
2015105538.tif 000002
【特許請求の範囲】
【請求項１】
建築物に据え付けられる支持部材と、
前記支持部材から垂れ下がる無端の環形状を有したコードであって、日射遮蔽部材の位置を変える前記コードの操作時において前記支持部材から引き下げられる前記コードと、
前記コードの非操作時において前記コードに屈曲部を形成するコード保持部であって、前記コードの無端縁を前記コードの操作時よりも高い前記コード保持部の近くに保持する前記コード保持部と、
を備える日射遮蔽装置。
【請求項２】
前記コード保持部は、
前記コードに前記屈曲部を形成して前記コードの前記無端縁を移動させる
請求項１に記載の日射遮蔽装置。
【発明の詳細な説明】
【技術分野】
【０００１】
本開示の技術は、コードを備える日射遮蔽装置に関する。
【背景技術】
【０００２】
日射遮蔽装置の一例である横型ブラインドは、無端の環形状を有した操作コードを用いている。例えば、特許文献１に記載のように、横型ブラインドにおけるヘッドボックスは、回動できる状態でプーリーを支持し、無端の環形状を有する操作コードは、そのプーリーに掛けられている。そして、操作コードの操作を通じてプーリーが回転することによって、日射遮蔽部材の一例であるスラットが昇降したり、スラットの角度が調整されたりする。
【先行技術文献】
【特許文献】
【０００３】
【特許文献１】特開２００３−１８４４５６号公報
【発明の概要】
【発明が解決しようとする課題】
【０００４】
しかしながら、上述の日射遮蔽装置では、操作コードがヘッドボックスから垂れ下がっているため、例えば、室内を移動する居住者や室内を移動する移動体に操作コードが引っ掛かってしまい、操作コードが誤って操作されることとなる。なお、こうした操作コードの誤操作は、横型ブラインドに限らず、例えば、縦型ブラインド、プリーツスクリーン、ロールスクリーン、カーテン移送装置など、無端の環形状を有した操作コードを備える日射遮蔽装置に共通するものである。
本開示の技術は、コードの誤操作を抑える日射遮蔽装置を提供することを目的とする。
【課題を解決するための手段】
【０００５】
上記課題を解決する日射遮蔽装置は、建築物に据え付けられる支持部材と、前記支持部材から垂れ下がる無端の環形状を有したコードであって、日射遮蔽部材の位置を変える前記コードの操作時において前記支持部材から引き下げられる前記コードと、前記コードの非操作時において前記コードに屈曲部を形成するコード保持部であって、前記コードの無端縁を前記コードの操作時よりも高い前記コード保持部の近くに保持する前記コード保持部と、を備える。
上記日射遮蔽装置において、前記コード保持部は、前記コードに前記屈曲部を形成して前記コードの前記無端縁を引き上げることが好ましい。
【発明の効果】
【０００６】
本開示の技術によればコードの誤操作が抑えられる。
【図面の簡単な説明】
【０００７】
【図１】第１実施形態における横型ブラインドの正面構造を示す正面図である。
【図２】第１実施形態のコード保持部の斜視構造を示す斜視図である。
【図３】第１実施形態における横型ブラインドの作用を示す作用図であって、コードフックが引き下げられる前の横型ブラインドの状態を示す図である。
【図４】第１実施形態における横型ブラインドの作用を示す作用図であって、コードフックが引き下げられた後の横型ブラインドの状態を示す図である。
【図５】第２実施形態における横型ブラインドの正面構造を示す正面図である。
【図６】第２実施形態におけるコード保持部の斜視構造を示す斜視図である。
【図７】第２実施形態におけるウエイトの断面構造を示す断面図である。
【図８】第２実施形態における横型ブラインドの作用を示す作用図であって、操作コードが引き下げられる前の横型ブラインドの状態を示す図である。
【図９】第２実施形態における横型ブラインドの作用を示す作用図であって、操作コードが引き下げられた後の横型ブラインドの状態を示す図である。
【図１０】第１変形例における横型ブラインドの構成を示す構成図であって、天井面に取り付けられたコードホルダーの位置を説明する図である。
【図１１】第２変形例における横型ブラインドの構成を示す構成図であって、天井面に取り付けられたコードホルダーの位置を説明する図である。
【図１２】第３変形例における横型ブラインドの構成を示す構成図であって、コードホルダーの位置とブラケットの位置との相対的な関係を説明する図である。
【図１３】第４変形例における横型ブラインドの構成を示す構成図であって、コードホルダーの位置とカバー部材の位置との相対的な関係を説明する図である。
【図１４】第４変形例におけるコードホルダーの斜視構造を示す斜視図である。
【図１５】第５変形例における横型ブラインドの構成を示す構成図であって、２つのコードホルダーの位置と接続リングの位置との相対的な関係を説明する図である。
【図１６】第６変形例における横型ブラインドの構成を示す構成図であって、操作コードにおける２本のコード要素が接続リングに通される例を示す図である。
【図１７】第７変形例における横型ブラインドの構成を示す構成図であって、操作コードにおける２本のコード要素が接続リングに通される例を示す図である。
【図１８】第７変形例における横型ブラインドの作用を示す作用図であって、操作コードが引き下げられた後の操作コードの状態を示す図である。
【図１９】第８変形例における横型ブラインドの正面構造を示す正面図である。
【図２０】第８変形例における横型ブラインドの作用を横型ブラインドの正面構造を用いて示す作用図である。
【図２１】第９変形例における横型ブラインドの構成を示す構成図であって、引き上げコードがストッパーを有する例を示す図である。
【図２２】第３実施形態におけるカーテン移送装置の正面構造を示す正面図であって、ヘッドボックスの前側壁を破断してヘッドボックスの内部を示す図である。
【図２３】第３実施形態におけるカーテン移送装置の平面構造を示す平面図であって、ヘッドボックスの上側壁を破断してヘッドボックスの内部を示す図である。
【図２４】第３実施形態におけるカーテン移送装置の側面構造を示す側面図である。
【図２５】第３実施形態におけるカーテン移送装置の作用を示す作用図であって、操作コードが引き上げられる際のカーテン移送装置の状態を示す図である。
【図２６】第１０変形例におけるカーテン移送装置の正面構造を示す正面図であって、ヘッドボックスの前側壁を破断してヘッドボックスの内部を示す図である。
【図２７】第１０変形例におけるカーテン移送装置の平面構造を示す平面図であって、ヘッドボックスの上側壁を破断してヘッドボックスの内部を示す図である。
【図２８】第１０変形例におけるカーテン移送装置の作用をカーテン移送装置の正面構造を用いて示す作用図である。
【図２９】第１０変形例におけるカーテン移送装置の作用をカーテン移送装置の平面構造を用いて示す作用図である。
【図３０】第１１変形例におけるカーテン移送装置の正面構造を示す正面図であって、ヘッドボックスの前側壁を破断してヘッドボックスの内部を示す図である。
【図３１】第１１変形例におけるカーテン移送装置の平面構造を示す平面図であって、ヘッドボックスの上側壁を破断してヘッドボックスの内部を示す図である。
【図３２】第１１変形例におけるカーテン移送装置の側面構造を示す側面図である。
【図３３】第１１変形例におけるカーテン移送装置の作用をカーテン移送装置の正面構造を用いて示す作用図である。
【図３４】第４実施形態における横型ブラインドの正面構造を示す正面図である。
【図３５】第４実施形態におけるコードホルダーの分解斜視構造を操作コードと共に示す分解斜視図である。
【図３６】第４実施形態におけるコードホルダーの作用をコードホルダーの内部構造を用いて示す作用図である。
【図３７】第４実施形態における横型ブラインドの正面構造を示す正面図である。
【図３８】第４実施形態における横型ブラインドの作用を横型ブラインドの正面構造を用いて示す作用図である。
【発明を実施するための形態】
【０００８】
（第１実施形態）
図１から図４を参照して本開示の技術の第１実施形態を説明する。第１実施形態は、本開示の技術における日射遮蔽装置が横型ブラインドに具体化された一例である。
【０００９】
図１が示すように、横型ブラインド１０において支持部材の一例であるヘッドボックス１１は、ラダーコード１３と、昇降コード１２とを吊り下げている。ラダーコード１３は、日射遮蔽部材の一例である複数のスラット１４を支持し、ラダーコード１３の下端は、ボトムレール１５に接続している。昇降コード１２は、複数のスラット１４の各々に通され、昇降コード１２の下端は、ボトムレール１５に接続している。
【００１０】
ヘッドボックス１１の内部に位置するチルトドラム１６において、チルトドラム１６の周面には、ラダーコード１３が接続している。ヘッドボックス１１の内部に位置する巻取ドラム１７において、巻取ドラム１７の周面には、昇降コード１２が巻き付けられている。
【００１１】
ヘッドボックス１１の一端部は、操作ユニット１８を収容し、操作ユニット１８は、操作プーリー１９に接続している。操作プーリー１９に挿通された出力軸Ａは、操作ユニット１８を介して、チルトドラム１６と巻取ドラム１７とに挿通されている。操作ユニット１８は、操作プーリー１９に挿通された出力軸Ａの回転を、チルトドラム１６の回転に変換する機能と、チルトドラム１６の回転の後に巻取ドラム１７の回転に変換する機能とを有している。
【００１２】
ヘッドボックス１１の長手方向における一端部において、ヘッドボックス１１の前側には、コードホルダー２１が接続している。無端の環形状を有するコードの一例である操作コードＬＭは、コードホルダー２１を通して、ヘッドボックス１１の内側からヘッドボックス１１の前側へ引き出されている。操作コードＬＭは、操作コードＬＭの引き下げによる操作コードＬＭの回転によって操作プーリー１９が回転するように、操作プーリー１９に掛かっている。
【００１３】
そして、操作コードＬＭの操作によって巻取ドラム１７が正転して、巻取ドラム１７が昇降コード１２を巻き取るとき、ボトムレール１５が上昇してスラット１４が上昇する。反対に、操作コードＬＭの操作によって巻取ドラム１７が逆転するとき、ボトムレール１５が降下してスラット１４が降下する。また、操作コードＬＭの操作によってチルトドラム１６が正転するとき、ラダーコード１３が駆動して、スラット１４が全開する方向にスラット１４の角度が変わる。反対に、操作コードＬＭの操作によってチルトドラム１６が逆転するとき、ラダーコード１３が駆動して、スラット１４が全閉する方向にスラット１４の角度が変わる。
【００１４】
［コード保持部２０の構成］
図２を参照してコード保持部２０を説明する。コード保持部２０は、中空の箱体形状を有するコードホルダー２１と、操作コードＬＭが通るコードフック２２とから構成されている。
【００１５】
コードホルダー２１の上側壁２１Ｕには、ヘッドボックス１１の上側壁と係合する係止爪２１１が後側に向かって突出している。コードホルダー２１の下側壁２１Ｂには、ヘッドボックス１１の下側壁と係合する係止爪２１２が後側に向かって突出している。これら係止爪２１１、および、係止爪２１２がヘッドボックス１１と係合することによって、コードホルダー２１はヘッドボックス１１に取り付けられている。
【００１６】
コードホルダー２１の下側壁２１Ｂには、前後方向に沿って延びる開口を有した下側挿通孔ＨＢが形成されている。コードホルダー２１の前側壁２１Ｆには、上下方向に沿って延びる開口を有した前側挿通孔ＨＦが形成されている。コードホルダー２１の下側壁２１Ｂとコードホルダー２１の前側壁２１Ｆとから構成される角部には、１つの固定軸Ａ１が位置し、固定軸Ａ１は、下側挿通孔ＨＢと前側挿通孔ＨＦとを区画している。
【００１７】
コードフック２２は、上下方向に沿って延びる矩形の枠体形状を有し、矩形孔である曲形成孔２２Ｈを囲っている。コードフック２２における上側辺は、１つの可動軸Ａ２であり、コードフック２２における下側辺は、前後方向において可動軸Ａ２よりも前側に位置している。
【００１８】
コードフック２２における下側辺には、下方に向かって垂れ下がる１つの引き上げコードＬＳが接続し、引き上げコードＬＳの下端には操作端２３が接続している。また、コードフック２２における下側辺には、前側に向かって突き出た環形状を有する１つの接続部２４が接続している。接続部２４は、接続部２４の周方向における一部が切断された有端の環形状を有し、切断された部分から操作コードＬＭを入れることの可能な形状を有している。
【００１９】
ヘッドボックス１１から引き出される操作コードＬＭは、２本のコード要素Ｌｐを１組として引き回され、２本のコード要素Ｌｐの各々の先端は、無端縁Ｌｅとして相互に接続している。１組のコード要素Ｌｐは、コードホルダー２１の内部から下側挿通孔ＨＢを通してコードホルダー２１の下方へ引き回されている。コードホルダー２１の下方へ引き回された１組のコード要素Ｌｐは、コードフック２２に形成された曲形成孔２２Ｈに通されて、コードホルダー２１の下方から再び下側挿通孔ＨＢに向かって折り返されている。これによって、可動軸Ａ２の周面に沿った第１屈曲部ＬＣ１が、屈曲部の一例として、操作コードＬＭに形成されている。
【００２０】
コードホルダー２１の内部へ折り返された１組のコード要素Ｌｐは、下側挿通孔ＨＢから前側挿通孔ＨＦに通されて、コードホルダー２１の下方に向かって再び折り返されている。これによって、固定軸Ａ１の周面に沿った第２屈曲部ＬＣ２が操作コードＬＭに形成されている。そして、ヘッドボックス１１から引き出されたコード要素Ｌｐの先端である無端縁Ｌｅは、前側挿通孔ＨＦを通じて固定軸Ａ１から吊り下げられている。なお、操作コードＬＭの中で固定軸Ａ１よりも前方、かつ、下方に垂れ下がる部分は、垂れ下がり部ＬＢであり、垂れ下がり部ＬＢを構成する２本のコード要素Ｌｐの中で一方のコード要素Ｌｐは、接続部２４の内側を通り、他方のコード要素Ｌｐは、接続部２４の外側を通っている。
【００２１】
［コード保持部２０の作用］
図３が示すように、コードフック２２が最上位置に位置する状態において、コードフック２２の可動軸Ａ２は、操作コードＬＭに吊り上げられた状態であって、操作コードＬＭには、先に説明した第１屈曲部ＬＣ１が形成されていない。コードフック２２の上部は、下側挿通孔ＨＢを通じてコードホルダー２１の内部に入り込んでいる。操作コードＬＭは、可動軸Ａ２と固定軸Ａ１との間、および、前側挿通孔ＨＦを通して垂れ下がっている。この状態において、垂れ下がり部ＬＢは、固定軸Ａ１から鉛直方向に沿って操作長Ｌａを有して、操作コードＬＭによる操作プーリー１９の操作を可能としている。
【００２２】
コードフック２２が最上位置に位置する状態から、垂れ下がり部ＬＢにおける前側のコード要素Ｌｐが引き下げられると、垂れ下がり部ＬＢにおける後側のコード要素Ｌｐがヘッドボックス１１に向かって引き込まれる。こうした操作コードＬＭを引き下げる操作によって、スラット１４の開閉、あるいは、スラット１４の昇降が調節される。
【００２３】
図４が示すように、操作コードＬＭの操作が完了すると、利用者によって操作端２３が引き下げられて、操作端２３の降下によってコードフック２２が降下する。この際に、垂れ下がり部ＬＢの上端部は、第２屈曲部ＬＣ２を介して固定軸Ａ１に単に掛けられた状態であるため、コードフック２２の引き下げによって、垂れ下がり部ＬＢの一部はコードホルダー２１の内部に引き戻される。結果として、コードフック２２が降下すると、固定軸Ａ１と可動軸Ａ２との間を通る操作コードＬＭが、可動軸Ａ２によって下方に引っ張られて降下して、可動軸Ａ２の周面に沿った第１屈曲部ＬＣ１を形成する。
【００２４】
コードフック２２の降下がさらに進むと、垂れ下がり部ＬＢの長さが短くなり、上昇する無端縁Ｌｅが接続部２４に引っ掛かる。これによって、無端縁Ｌｅの上昇、および、コードフック２２の降下が止る。なお、垂れ下がり部ＬＢにおけるいずれのコード要素Ｌｐが操作される場合においても、こうした第１屈曲部ＬＣ１の形成は同様である。また、コードフック２２が最上位置以外に位置する状態からコードフック２２が降下するときも同様である。そして、垂れ下がり部ＬＢが再び下方へ引っ張られることによって、コードフック２２は上昇し、垂れ下がり部ＬＢの長さは操作長Ｌａに戻り、操作コードＬＭの操作が可能な状態となる。
【００２５】
上記第１実施形態によれば以下の効果が得られる。
（１）ヘッドボックス１１と固定軸Ａ１との間に位置する操作コードＬＭは、第１屈曲部ＬＣ１を介して２つに折り曲げられる。それゆえに、ヘッドボックス１１から垂れ下がる操作コードＬＭの長さは、２つに折り曲げられる長さの分だけ短くなる。結果として、ヘッドボックス１１から操作コードＬＭが垂れ下がることに起因して操作コードが誤って操作されることが抑えられる。
【００２６】
（２）コードフック２２の降下は、無端縁Ｌｅと接続部２４との係合によって止るため、コードフック２２の過剰な引き下げ、例えば、ヘッドボックス１１の内部まで無端縁Ｌｅが引き戻されるような引き下げが、操作端２３の操作において抑えられる。
【００２７】
（３）コードフック２２における下側辺が、前後方向において、可動軸Ａ２よりも前側に位置しているため、接続部２４に垂れ下がり部ＬＢを通すことが容易であり、また、接続部２４の内部を通じた垂れ下がり部ＬＢの昇降も円滑に進む。
【００２８】
（４）コードホルダー２１に固定軸Ａ１が設けられるため、コードホルダー２１と固定軸Ａ１とが別部材である構成と比べて、コード保持部２０を構成する部材の点数が少ない。また、コードホルダー２１に固定軸Ａ１が固定されているため、固定軸Ａ１と下側挿通孔ＨＢとの相対的な位置、および、固定軸Ａ１と前側挿通孔ＨＦとの相対的な位置の精度も高まる。
【００２９】
（５）操作コードＬＭの無端縁Ｌｅが操作コードＬＭの操作時よりも高いコードフック２２の近くに保持されるため、横型ブラインド１０の設置された空間に居住する居住者が操作コードＬＭに引っ掛かる危険性が抑えられる。
【００３０】
なお、上記第１実施形態は以下のように変更して実施することもできる。
・コードフック２２の降下に際して接続部２４の係合する係合先は、無端縁Ｌｅに限らず、垂れ下がり部ＬＢの一部に別途設けられたストッパーなどの被係合部であってもよい。この際に、接続部２４は、環形状に限らず、被係合部の上昇、および、接続部２４の降下によって、接続部２４と被係合部とが相互に係合する形状であればよい。
【００３１】
・固定軸Ａ１の位置、および、接続部２４の位置は、前後方向において可動軸Ａ２と同じ位置、あるいは、可動軸Ａ２よりも後側であってもよい。このような構成であっても、上記（１）（２）（４）（５）の記載に準じた効果は得られる。
【００３２】
・ヘッドボックス１１と固定軸Ａ１との間に位置する操作コードＬＭは、前後方向において２重以上の九十九折り形状に折り曲げられてもよく、第１屈曲部ＬＣ１、および、第２屈曲部ＬＣ２から構成される屈曲部の組を２以上有してもよい。
この際に、２以上の第２屈曲部ＬＣ２の各々は、相互に異なる固定軸Ａ１に掛けられる一方で、２以上の第１屈曲部ＬＣ１の各々には、相互に異なるコードフック２２が掛けられてもよいし、複数の第１屈曲部ＬＣ１に対して共通する１つのコードフック２２が掛けられてもよい。そして、１つのコードフック２２の有する可動軸Ａ２の数は、２以上であってもよい。
【００３３】
・コードホルダー２１の位置は、ヘッドボックス１１の前方に限らず、例えば、ヘッドボックス１１の側方に取り付けられてもよい。コードホルダー２１の位置は、ヘッドボックス１１における操作コードＬＭの引き回しの仕様に応じて適宜変更されるものであって、操作コードＬＭが他の部材と不要に擦れない範囲であることが好ましい。
【００３４】
・固定軸Ａ１は、コードホルダー２１と別体であって、ヘッドボックス１１に片持ちされる軸であってもよい。このような構成においては、コードホルダー２１そのものが割愛されてもよい。
【００３５】
・操作端２３、および、引き上げコードＬＳが割愛されて、コードフック２２そのものの引き下げによって可動軸Ａ２が引き下げられて、コードフック２２が操作端２３の機能を兼ねてもよい。
【００３６】
・操作コードＬＭにおける操作は、１本のコード要素Ｌｐの引き出しや引き戻しに限らず、例えば、１組のコード要素Ｌｐの引き出しや引き戻しなど、ヘッドボックス１１の外側に位置する操作コードＬＭの長さが変わる操作であってもよい。
【００３７】
・操作プーリー１９は、ヘッドボックス１１の内部に位置してもよいし、ヘッドボックス１１の外部に位置してもよい。操作プーリー１９の回転軸は、ヘッドボックス１１の長手方向に沿って延びる形状を有してもよいし、ヘッドボックス１１の長手方向と直交する方向、例えば、ヘッドボックスの前後方向に沿って延びる形状を有してもよい。日射遮蔽装置は、昇降用の操作プーリー１９と、チルト用の操作プーリー１９とを別々に備え、かつ、昇降用の操作プーリー１９を回転する操作コードＬＭと、チルト用の操作プーリー１９を回転する操作コードＬＭとを別々に備えてもよい。そして、２本以上の操作コードＬＭの中で少なくとも１本の操作コードＬＭに対してコード保持部２０が適用される構成であればよい。
【００３８】
・日射遮蔽装置は、横型ブラインド１０に限らず、無端の環形状を有する操作コードがヘッドボックスから吊り下げられる日射遮蔽装置であればよく、例えば、縦型ブラインド、ロールスクリーン、プリーツスクリーン、カーテン移送装置であってもよい。
・日射遮蔽部材の位置を変えるコードは、紐体である操作コードＬＭに限らず、チェーンであってもよい。
【００３９】
上記第１実施形態、および、その変形例によれば以下の技術的思想が導き出される。
（付記１）
建築物に据え付けられる支持部材と、前記支持部材から垂れ下がる無端の環形状を有したコードであって、日射遮蔽部材の位置を変える前記コードの操作時において前記支持部材から引き下げられる前記コードと、前記コードの非操作時において前記コードに屈曲部を形成するコード保持部であって、前記コードの無端縁を前記コードの操作時よりも高い前記コード保持部の近くに保持する前記コード保持部と、を備える日射遮蔽装置であって、
前記屈曲部は、一方向に向かって凸となる曲率を有した第１屈曲部と、前記一方向とは逆方向に向かって凸となる曲率を有した第２屈曲部とを含み、
前記コード保持部は、前記第１屈曲部に掛けられて前記第１屈曲部の変位と共に可動する可動軸と、前記前記支持部材に固定されて、前記第１屈曲部よりも前記無端縁に近い部分である前記第２屈曲部が掛かる固定軸と、を備えることを特徴とする日射遮蔽装置。
【００４０】
（付記２）
前記可動軸を有して前記第１屈曲部に掛けられたコードフックと、
前記コードにおいて前記第２屈曲部よりも前記コードの無端縁に近い部分は垂れ下がり部であり、前記垂れ下がり部の上昇によって前記垂れ下がり部と係合できる状態で、前記コードフックと前記垂れ下がり部とに接続する接続部と、を備え、
前記接続部は、前記垂れ下がり部の降下を許容し、かつ、前記垂れ下がり部が上昇するときには前記垂れ下がり部と前記接続部との係合によって前記垂れ下がり部を所定の位置に規制する付記１に記載の日射遮蔽装置。
【００４１】
（付記３）
前記固定軸は、前記日射遮蔽装置の前後方向において前記可動軸よりも前側に位置し、前記接続部は、前記日射遮蔽装置の前後方向において前記可動軸よりも前側に位置する付記２または３に記載の日射遮蔽装置。
【００４２】
（第２実施形態）
図５から図１８を参照して本開示の技術の第２実施形態を説明する。第２実施形態は、本開示の技術における日射遮蔽装置が横型ブラインドに具体化された一例である。なお、第２実施形態における横型ブラインドは、コード保持部が第１実施形態とは異なる一方で、それ以外の主たる構成は第１実施形態の横型ブラインドと同様である。以下では、こうした差異を説明し、第１実施形態に記載の横型ブラインドと同様の構成については、同一の符号を付してその説明を割愛する。なお、図５は、操作コードＬＭの非操作時における横型ブラインドの正面構造を示す。
【００４３】
［コード保持部３０の構成］
図５が示すように、ヘッドボックス１１の両端部の中で右側端部Ｅ１には、操作コードＬＭの引き出されるコードゲート１１Ｈが形成され、左側端部Ｅ２には、コードホルダー３１が取り付けられている。無端の環形状を有する操作コードＬＭにおいて最もコードホルダー３１に近い部分は無端縁Ｌｅであり、操作コードＬＭにおける無端縁Ｌｅは、コード保持部を構成する環形状を有する接続リング３２に通されている。
【００４４】
接続リング３２は、これもまたコード保持部を構成するコードホルダー３１を通る引き上げコードＬＳの一端部に接続し、引き上げコードＬＳの他端部には、ウエイト３３が接続している。この引き上げコードＬＳは、引き寄せコードの一例である。ウエイト３３は、鉛直方向の下方に沿って引き上げコードＬＳを引っ張っている。引き上げコードＬＳに引っ張られる操作コードＬＭは、コードゲート１１Ｈからコードホルダー３１に向かって折れ曲がる第１屈曲部ＬＣ１を有している。
【００４５】
ここで、従来の横型ブラインドにおいて、コードゲート１１Ｈから垂れ下がる操作コードＬＭの長さは、例えば、最下位置のボトムレール１５とヘッドボックス１１との間の距離の半分よりも大きい長さＨＭである。一方で、引き上げコードＬＳの長さは、こうした長さＨＭよりも短く設定されている。それゆえに、コードホルダー３１から垂れ下がる引き上げコードＬＳの下端部は、従来の横型ブラインドにおいてコードゲート１１Ｈから垂れ下がる操作コードＬＭの無端縁Ｌｅよりも上方に位置する。
【００４６】
なお、本実施形態において、コードゲート１１Ｈと無端縁Ｌｅとの間における操作コードＬＭの長さは、コードゲート１１Ｈとコードホルダー３１との間の距離１１Ｌ以上であってもよいし、コードゲート１１Ｈとコードホルダー３１との間の距離１１Ｌ未満であってもよい。なお、コードゲート１１Ｈと無端縁Ｌｅとの間における操作コードＬＭの長さは、それが最短長である状態で、コードゲート１１Ｈとコードホルダー３１との間の距離１１Ｌよりも長いことが好ましい。特に、操作コードＬＭの操作において、一方のコード要素Ｌｐが引き出され、かつ、他方のコード要素Ｌｐが引き込まれるとき、引き出されるコード要素Ｌｐは、操作コードＬＭの操作において引き込まれるコード要素Ｌｐよりも長いことが好ましい。このような構成であれば、一方のコード要素Ｌｐが他方のコード要素Ｌｐよりも下側に位置するように、一方のコード要素Ｌｐが下方に向かって特に弛むため、一方のコード要素Ｌｐの引き出し操作が容易である。
【００４７】
図６が示すように、コードホルダー３１は、逆Ｌ字形状を有する断面が横方向に沿って連続する折り曲げ板形状を有している。コードホルダー３１の上側壁３１Ｕには、ヘッドボックス１１の上側壁の後縁と係合する係止爪３１１が、ヘッドボックス１１に向かって延出している。コードホルダー２１の前側壁３１Ｆの中で上端部には、ヘッドボックス１１の前側壁の上縁と係合する係止爪３１２が、ヘッドボックス１１に向かって延出し、コードホルダー２１の前側壁３１Ｆの中で下端部には、ヘッドボックス１１の前側壁の下縁と係合する係止爪３１３が、ヘッドボックス１１に向かって延出している。これら３つの係止爪３１１、３１２、３１３がヘッドボックス１１と係合することによって、コードホルダー３１はヘッドボックス１１に取り付けられる。
【００４８】
コードホルダー３１の上側壁３１Ｕには、上下方向に沿って上側壁３１Ｕを貫通するねじ止め孔３１ａが形成されている。例えば、コードホルダー３１がヘッドボックス１１には固定されず、コードホルダー３１が天井面などの壁面に固定されるとき、ねじ止め孔３１ａを通る雄ねじは、壁面に形成された雌ねじに螺合して、コードホルダー３１を壁面に固定する。なお、本実施形態のように、コードホルダー３１が係止爪３１１,３１２,３１３によってヘッドボックス１１に固定される構成であれば、ねじ止め孔３１ａを用いたねじ止め、さらにはねじ止め孔３１ａそのものが割愛されてもよい。
【００４９】
コードホルダー３１の前側壁３１Ｆには、横方向に沿って前側壁３１Ｆを貫通するコード挿通孔３１ｂが形成されている。コード挿通孔３１ｂの開口は、引き上げコードＬＳが通る大きさであって、かつ、接続リング３２が通らない大きさである。こうした構成によって、引き上げコードＬＳの接続する接続リング３２の位置は、コードホルダー３１よりもコードゲート１１Ｈ側に制約され、接続リング３２を通る無端縁Ｌｅの位置もまた、コードホルダー３１よりもコードゲート１１Ｈ側に制約される。
【００５０】
コード挿通孔３１ｂを通る引き上げコードＬＳは、コード挿通孔３１ｂの有する両端の開口の中で右側端部Ｅ１側の開口から左側端部Ｅ２側の開口に向かって延び、左側端部Ｅ２側の開口縁において、下方に向かって折れ曲がる第２屈曲部ＬＣ２を形成している。
【００５１】
操作コードＬＭの無端縁Ｌｅは、引き上げコードＬＳを介してウエイト３３からの張力Ｆを受け続け、張力に抗した操作力を受けない限り、接続リング３２と共々、その移動する範囲の中で最もコードホルダー３１の近くに位置する。ウエイト３３の重量は、ボトムレール１５の重量と遮蔽部材の重量との総和よりも軽いことが好ましく、また、引き上げコードＬＳに作用する張力は、操作コードＬＭをコードホルダー３１へ引っ張る一方で、その操作コードＬＭをヘッドボックス１１から引き出すことのない程度の力である。
【００５２】
図７が示すように、ウエイト３３は、例えば、金属などから形成された重量部３３ａと、重量部３３ａの全体を覆う弾性力を有した被膜３３ｂとから構成されることが好ましい。こうした構成であれば、ウエイト３３の機能として求められる重量が、高い剛体を有する重量部３３ａによって構成され、高い剛性を有する重量部３３ａが他の部材と衝突することが、被膜３３ｂによって抑えられる。
【００５３】
［コード保持部３０の作用］
図８が示すように、ウエイト３３が静止しているとき、接続リング３２はその移動範囲の中でコードホルダー３１に最も近接し、操作コードＬＭはヘッドボックス１１における右側端部Ｅ１から左側端部Ｅ２に向かって引き回されている。
【００５４】
この際に、接続リング３２は、操作コードＬＭの長さによってその位置が定められ、コードホルダー３１に当接してもよいし、コードホルダー３１に当接しなくてもよく、第１屈曲部ＬＣ１を形成する構成であればよい。接続リング３２とコードホルダー３１とが当接する状態であれば、操作コードＬＭは、引き上げコードＬＳから張力を受けること無く、第１屈曲部ＬＣ１の形成に伴い、弛みを有した状態を再現しやすい。そして、操作コードＬＭが弛みを有する状態であれば、操作コードＬＭの操作に際して、操作コードＬＭの位置が高くなり過ぎることが抑えられ、操作コードＬＭの操作の開始が容易である。
【００５５】
ウエイト３３が最下位置に位置する状態から、利用者によって操作コードＬＭが下方に引っ張られると、図８の二点鎖線が示すように、操作コードＬＭの降下と共に接続リング３２が降下し、接続リング３２の降下と共にウエイト３３が上昇する。
【００５６】
操作コードＬＭが引き下げられた状態において、操作コードＬＭにおける下方のコード要素Ｌｐがさらに引き下げられると、操作コードＬＭにおける上方のコード要素Ｌｐがヘッドボックス１１の内部に引き込まれる。こうした操作コードＬＭの操作を経て操作プーリー１９が回転し、スラット１４の開閉、あるいは、スラット１４の昇降が調節される。なお、図９では、コード要素Ｌｐの引き下げ量に応じた距離だけスラット１４が上昇した状態が示されている。
【００５７】
図９が示すように、操作コードＬＭを下方に引っ張る力が、操作コードＬＭから取り除かれると、ウエイト３３がそれの重みに従って降下し、ウエイト３３に引っ張られる引き上げコードＬＳも、コードホルダー３１のコード挿通孔３１ｂを通じて降下する。また、引き上げコードＬＳが降下することに従って、接続リング３２が再びコードホルダー３１に近づく。そして、図９の二点鎖線が示すように、接続リング３２がその移動範囲の中でコードホルダー３１の最も近くに到達して、ウエイト３３の降下が停止し、引き上げコードＬＳの移動、および、操作コードＬＭの移動も停止する。結果として、操作コードＬＭの操作に際して一旦引き下げられた操作コードＬＭは、ヘッドボックス１１の右側端部Ｅ１から左側端部Ｅ２に向かって引き回された状態に戻る。
【００５８】
上記第２実施形態によれば以下の効果が得られる。
（１）操作コードＬＭは、第１屈曲部ＬＣ１において２つに折り曲げられ、右側端部Ｅ１から左側端部Ｅ２に向かって引き回される。それゆえに、操作コードＬＭが折り曲げられない構成と比べて、操作コードＬＭが垂れ下がることに起因して操作コードＬＭが誤って操作されることが抑えられる。
【００５９】
（２）操作コードＬＭの操作に際して一旦引き下げられた操作コードＬＭは、ウエイト３３の重みの作用によって、操作コードＬＭの操作の終了と共に再び引き上げられる。結果として、操作コードＬＭが操作されるときにのみ操作コードＬＭが引き下げられるため、操作コードＬＭが垂れ下がることに起因して操作コードＬＭが誤って操作されることが、さらに抑えられる。
【００６０】
（３）ウエイト３３が最下位置に位置するときに、接続リング３２とコードホルダー３１とが当接する構成であれば、接続リング３２とコードホルダー３１との当接によってウエイト３３の降下が止められる。そして、操作コードＬＭと引き上げコードＬＳとを接続する機能と、ウエイト３３の降下を止める機能とを１つの接続リング３２が兼ね備えるため、これらの機能が別部材によって実現される構成と比べて、コード保持部３０を構成する部材の点数が少ない。
【００６１】
（４）操作コードＬＭの無端縁Ｌｅが操作コードＬＭの操作時よりも高いコードホルダー３１の近くに保持されるため、横型ブラインド１０の設置された空間に居住する居住者が操作コードＬＭに引っ掛かる危険性が抑えられる。
【００６２】
上記第２実施形態は以下のように変更して実施できる。
［コードホルダー３１の位置］
・コードホルダー３１の位置は、ヘッドボックス１１の左側端部Ｅ２に限らず、例えば、ヘッドボックス１１において右側端部Ｅ１と左側端部Ｅ２との間であってもよいし、ヘッドボックス１１以外であってもよい。要するに、コードホルダー３１の位置は、コードゲート１１Ｈから下方に向かって延びる操作コードＬＭを、第１屈曲部ＬＣ１の形成によって、その延びる方向から折り曲げる位置であればよい。例えば、コードホルダー３１は、下記第１変形例、および、第２変形例に記載のように、横型ブラインド１０の設置される建築物の天井面Ｔに取り付けられてもよい。
【００６３】
［第１変形例］
・図１０が示すように、コードホルダー３１は、例えば、天井面Ｔであって、ヘッドボックス１１の延びる方向において左側端部Ｅ２よりも右側端部Ｅ１から離れた位置に取り付けられてもよい。この際に、コードホルダー３１は、ねじ止め孔３１ａを通る雄ねじによって天井面Ｔなどの壁面に固定される。このような構成においても、第２実施形態に記載の（１）から（４）に準じた効果は得られる。
【００６４】
なお、コードゲート１１Ｈとコードホルダー３１との間の距離Ｄ１は、ヘッドボックス１１の全長Ｄ２よりも大きい。そのため、例えば、コードホルダー３１の固定される高さが操作コードＬＭの操作に支障を来さない高さであって、横型ブラインド１０が吹き抜けの空間に設置されるときなど、操作コードＬＭの長さがヘッドボックス１１の全長Ｄ２よりも大幅に大きい構成において、上述した効果は特に顕著である。なお、こうした構成においても、ウエイト３３が静止した状態では、操作コードＬＭの操作の開始を容易にするために、操作コードＬＭは下方に向かって弛みを有する構成が好ましい。
【００６５】
［第２変形例］
・図１１が示すように、コードホルダー３１は、例えば、天井面Ｔであって、ヘッドボックス１１の前方に取り付けられてもよい。このような構成においても、第２実施形態に記載の（１）から（４）に準じた効果は得られる。また、操作コードＬＭがコードゲート１１Ｈからその前方へ引き出される構成であれば、操作コードＬＭの引き回しによる負荷が抑えられる。そのため、横型ブラインド１０の他に、図示しない操作プーリー１９の回転軸がヘッドボックス１１の長手方向に沿って位置するロールスクリーンにおいて、こうした構成は特に好ましい。なお、こうした構成においても、ウエイト３３が静止した状態では、操作コードＬＭの操作の開始を容易にするために、操作コードＬＭは下方に向かって弛みを有する構成が好ましい。
・また、コードホルダー３１は、下記第３変形例、および、第４変形例に記載のように、ヘッドボックス１１における特定の位置に取り付けられてもよい。
【００６６】
［第３変形例］
・図１２が示すように、ヘッドボックス１１を壁などに固定するブラケット３５とコードホルダー３１とは、相互に並んでいることが好ましい。こうした構成であれば、コードホルダー３１の位置がヘッドボックス１１の延びる方向に沿ってずれることが抑えられる。
【００６７】
この際に、ブラケット３５の位置は、ヘッドボックス１１の延びる方向において、コードホルダー３１よりもコードゲート１１Ｈに近い方がより好ましい。例えば、操作コードＬＭの操作に際して操作コードＬＭが引き下げられるとき、コードホルダー３１と操作コードＬＭとの摩擦を通じて、コードホルダー３１をコードゲート１１Ｈに近づける方向への応力が、コードホルダー３１には作用する。この点で、コードホルダー３１のコードゲート１１Ｈ側にブラケット３５が位置する構成であれば、こうした応力によってコードホルダー３１の位置がずれることが抑えられる。
【００６８】
［第４変形例］
・図１３が示すように、ヘッドボックス１１の前面における意匠性を高めるためのカバー部材３６をヘッドボックスが備える構成において、カバー部材３６の後面にコードホルダー３１が固定されてもよい。こうした構成であれば、ヘッドボックス１１の本体とカバー部材３６との間に、操作コードＬＭや引き上げコードＬＳを通す構成が採用可能である。そのため、ヘッドボックス１１の前面に展開する操作コードＬＭや引き上げコードＬＳをバランスなどのカバー部材３６によって覆い隠すことが可能であるから、意匠性が失われることが抑えられもする。
【００６９】
この際に、カバー部材３６の後面に固定されるコードホルダー３１として以下の構成が挙げられる。
【００７０】
図１４が示すように、カバー部材３６の後面に固定されるコードホルダー３１は、カバー部材３６の後面に沿った板形状を有し、カバー部材３６の後面と接触する側面とは反対側の側面にコード挿通孔３１ｂを有している。そして、ねじ止め孔３１ａに挿通される雄ねじが、カバー部材３６の裏面に形成された雌ねじと螺合することによって、コードホルダー３１は、カバー部材３６に固定される。
【００７１】
［コードホルダー３１の数］
・１つのヘッドボックス１１が２つ以上のコードホルダー３１を備えてもよい。この際に、２つ以上のコードホルダー３１の中でいずれか１つのコードホルダー３１の有するコード挿通孔３１ｂが、接続リング３２の通らない開口を有し、そのコードホルダー３１以外のコードホルダー３１の有するコード挿通孔３１ｂは、接続リング３２の通る大きさの開口を有している。例えば、下記第５変形例が示すように、２つのコードホルダー３１が、ヘッドボックス１１の延びる方向に沿って並んでもよい。
【００７２】
［第５変形例］
図１５が示すように、２つのコードホルダー３１の中で、右側端部Ｅ１に近いコードホルダー３１が、第１コードホルダー３１Ｒであり、左側端部Ｅ２に近いコードホルダー３１が、第２コードホルダー３１Ｌである。
【００７３】
この際に、接続リング３２は、２つのコードホルダー３１の間に位置し、第２コードホルダー３１Ｌにおけるコード挿通孔３１ｂの開口は、接続リング３２の通らない大きさである。第１コードホルダー３１Ｒにおけるコード挿通孔３１ｂの大きさは、接続リング３２の通る大きさである。２つのコードホルダー３１を有する構成であれば、操作コードＬＭが長い場合であっても、操作コードＬＭが引き上げられた際の弛みが所望の大きさに抑えられるため、引き上げられた状態での操作コードＬＭの意匠性が高まる。なお、ヘッドボックス１１の長手方向に沿って並ぶコードホルダー３１は、３つ以上であってもよい。
【００７４】
［接続リング３２と操作コードとの接続の形態］
下記第６変形例、および、第７変形例が示すように、接続リング３２の内側に通される操作コードＬＭは、１本のコード要素Ｌｐに限らず、２本のコード要素Ｌｐであってもよい。
【００７５】
［第６変形例］
・図１６が示すように、操作コードＬＭの非操作時において、接続リング３２はその移動範囲の中でコードホルダー３１に最も近くに位置し、操作コードＬＭは、接続リング３２から垂れ下がる垂れ下がり部ＬＢを有している。
【００７６】
そして、操作コードＬＭの操作時において、利用者によって垂れ下がり部ＬＢと共々、操作コードＬＭが下方に引っ張られると、図１６の二点鎖線が示すように、接続リング３２が降下して、接続リング３２の降下と共にウエイト３３が上昇する。この状態から、操作コードＬＭが操作されることによって、スラット１４の昇降、あるいは、スラット１４の開閉が調節される。
【００７７】
こうした構成であれば、接続リング３２によって２本のコード要素Ｌｐが相互に同じように屈曲するため、接続リング３２の移動によって１本のコード要素Ｌｐが屈曲する構成と比べて、接続リング３２の移動量に対する操作コードＬＭの上昇量が大きい。それゆえに、例えば、ヘッドボックス１１の長手方向における幅が短い構成、すなわち、接続リング３２の移動量が小さい構成であっても、操作コードＬＭを所望の高さまで引き上げることが可能である。
【００７８】
なお、１つの接続リング３２に２本のコード要素Ｌｐを通す構成において、図１６が示すように、接続リング３２は、接続リング３２の内側の空間を２つに区画する区画部３２ａを有することが好ましい。こうした構成であれば、操作コードＬＭの操作に際して操作コードＬＭが引き下げられて、接続リング３２に通された操作コードＬＭが、接続リング３２から抜ける方向に移動するとしても、操作コードＬＭの無端縁Ｌｅが区画部３２ａに引っ掛かる。それゆえに、２本のコード要素Ｌｐが接続リング３２から完全に抜けることも抑えられる。ただし、操作コードＬＭの無端縁Ｌｅが区画部３２ａに引っ掛かった際にも、弛んだ操作コードＬＭを引き下げることによって操作コードＬＭを操作することは可能である。
【００７９】
［第７変形例］
・図１７が示すように、横型ブラインド１０において、スラット１４を開閉するポール３６Ｐには、ポール３６Ｐの回転角度を操作するグリップ３７が接続し、これらポール３６Ｐ、および、グリップ３７の内部に１つの操作コードＬＭが通っている。操作コードＬＭは、２本のコード要素Ｌｐから構成され、これら２本のコード要素Ｌｐの下端が、共通する１つのイコライザー３８に接続することによって、無端の環形状を有している。そして、グリップ３７の操作によって、スラット１４の角度が調節され、図１７の二点鎖線が示すように、イコライザー３８が引き下げられて操作コードＬＭが引き出されることによって、スラット１４の昇降が調節される。
【００８０】
グリップ３７とイコライザー３８との間には、２本のコード要素Ｌｐがまとめて通る接続リング３２が位置している。接続リング３２の内径は、グリップ３７の通らない大きさであり、かつ、イコライザー３８が通らない大きさであることが好ましい。接続リング３２は、引き上げコードＬＳの一端に接続し、引き上げコードＬＳの他端はウエイト３３に接続している。
【００８１】
接続リング３２は、引き上げコードＬＳを介してウエイト３３からの張力を受け続け、張力に抗した操作力を受けない限り、グリップ３７、および、イコライザー３８と共々、その移動範囲においてコードホルダー３１の最も近くに位置する。ウエイト３３の重量は、ボトムレール１５の重量とスラット１４の重量との総和よりも軽いことが好ましく、また、引き上げコードＬＳに作用する張力は、操作コードＬＭをコードホルダー３１へ引っ張る一方で、その操作コードＬＭをグリップ３７側から引き出すことのない程度の力である。
【００８２】
そして、操作コードＬＭが操作されるとき、まず、利用者によってポール３６Ｐ、グリップ３７、および、イコライザー３８が鉛直方向の下方に向かって引き下げられると、図１７の二点鎖線が示すように、グリップ３７の降下と共に接続リング３２が降下し、接続リング３２の降下と共にウエイト３３が上昇する。グリップ３７が引き下げられた状態からイコライザー３８が引き下げられると、グリップ３７内を挿通してグリップ３７の下端側から操作コードＬＭが引き出され、スラット１４の昇降が調節される。
【００８３】
図１８が示すように、イコライザー３８を下方に引っ張る力が、イコライザー３８から取り除かれると、ウエイト３３がそれの重みに従って降下し、ウエイト３３に引っ張られる接続リング３２はコードホルダー３１に向かって上昇する。そして、接続リング３２は、グリップ３７とイコライザー３８との間において、グリップ３７からイコライザー３８に向かってスライドする。その結果、接続リング３２は、イコライザー３８に係止され、かつ、その移動範囲において最もコードホルダー３１の近くに到達して、ウエイト３３の降下が停止し、接続リング３２、イコライザー３８、グリップ３７、および、ポール３６Ｐの移動も停止する。そして、操作コードＬＭの操作に際して一旦引き下げられたイコライザー３８は、操作時よりも上方の位置に戻る。
【００８４】
こうした構成においても、第２実施形態に記載の（１）から（４）に準じた効果は得られる。なお、接続リング３２は、グリップ３７とイコライザー３８との間に位置すればよく、接続リング３２の内側に通るコード要素Ｌｐは１本であってもよい。
【００８５】
［第８変形例］
・図１９が示すように、２本の昇降コード１２の各々は、ボトムレール１５からヘッドボックス１１の内部に一旦引き回されて、ヘッドボックス１１におけるコードゲート１１Ｈから再びボトムレール１５に接続している。コードゲート１１Ｈとボトムレール１５とをつなぐ２本の昇降コード１２は、ボトムレール１５を昇降する操作コードＬＭとして機能する。操作コードＬＭの操作前において、接続リング３２は、イコライザーＥの下方であって、高さ方向における操作コードＬＭの中間に取り付けられている。
【００８６】
ヘッドボックス１１は、ヘッドボックス１１の左側端部にコードホルダー３１を備えている。コードホルダー３１には、引き上げコードＬＳが挿通する挿通孔が形成され、コードホルダー３１からは、引き上げコードＬＳの基端部が垂れ下がり、その引き上げコードＬＳの基端部はウエイト３３に接続している。引き上げコードＬＳの先端部は接続リング３２に接続している。操作コードＬＭの操作前において、接続リング３２は、引き上げコードＬＳからの張力によってコードホルダー３１に向けて引っ張られて、操作コードＬＭにおける２本のコード要素Ｌｐが相互に接触した無端縁を接続リング３２の内側に形成する。
なお、図１９の二点鎖線が示すように、コードホルダー３１や接続リング３２によって構成されるコード保持部を有しない従来の横型ブラインドにおいては、操作コードＬＭがコードゲート１１Ｈから垂れ下がり、ボトムレール１５の下方でループを形成している。そして、操作コードＬＭがボトムレール１５の下方でループを形成する構成では、こうしたループの高さによっては、室内を移動する居住者や室内を移動する移動体に操作コードが引っ掛かってしまい、操作コードが誤って操作されることとなる。
【００８７】
図２０が示すように、操作コードＬＭの操作時において、利用者によって操作コードＬＭが引き下げられてボトムレール１５が上昇すると、コードゲート１１Ｈとボトムレール１５との間において操作コードＬＭに、引き下げ量に相当する弛みが形成される。一方で、接続リング３２は、引き上げコードＬＳを通じてウエイト３３の重みに応じた張力を受け、コードホルダー３１に向かって変位する。そして、操作コードＬＭは、コードホルダー３１に向かって凸となる屈曲部を形成する。結果として、操作コードＬＭにおける無端縁は操作コードＬＭの操作時よりも高いコードホルダー３１の近くに保持される。また、コード保持部７１の上側に位置していた操作コードＬＭは、コードゲート１１Ｈからコードホルダー３１に向けて引っ張られ、接続リング３２の下側に位置していた操作コードＬＭのみが弛んで垂れ下がる。
【００８８】
［ウエイト３３の降下の停止機構］
［第９変形例］
・図２１が示すように、引き上げコードＬＳは、コードホルダー３１と接続リング３２との間にストッパー３９を備えてもよい。ストッパー３９は、コード挿通孔３１ｂを通らない大きさであって、操作コードＬＭの非操作時において、引き上げコードＬＳがウエイト３３によって引き下ろされることを、コードホルダー３１とストッパー３９との係合によって止める。
【００８９】
そして、操作コードＬＭの操作時において、利用者によって操作コードＬＭが下方に引っ張られると、図２１の二点鎖線が示すように、接続リング３２とストッパー３９とが降下してウエイト３３が上昇する。この状態から、操作コードＬＭが操作されることによって、スラット１４の昇降、あるいは、スラット１４の開閉が調節される。
【００９０】
このような構成であれば、ウエイト３３が最下位置に到達する際に、コードホルダー３１と接続リング３２との当接が抑えられるため、接続リング３２における物理的な強度の制約が軽減される。また、操作コードＬＭの長さと、引き上げコードＬＳにおけるストッパー３９とウエイト３３との間の長さとを各別に設計することが可能であるため、操作コードＬＭの引き上げられる距離を範囲をもって設定できる。
【００９１】
［他の変形例］
・操作コードＬＭと引き上げコードＬＳとを接続する接続部は、操作コードＬＭと引き上げコードＬＳとを接続する機能を有した部材であればよく、その形状は、リング形状に限定されるものではない。
【００９２】
・引き上げコードＬＳに作用する力は、ウエイト３３の重力に限らず、接続リングの変位を通じて、操作コードＬＭの無端縁を上方に向かって付勢する力であればよく、例えば、一定のトルクを出力するトルクバネであってもよい。
【００９３】
・横型ブラインド１０は、第１屈曲部ＬＣ１を案内するための周面を有した可動軸を備えてもよい。こうした構成であれば、第１屈曲部ＬＣ１の形成や第１屈曲部ＬＣ１における操作コードＬＭの移動が円滑である。また、横型ブラインド１０は、第２屈曲部ＬＣ２を案内するための周面を有した固定軸をコードホルダー３１に備えてもよい。こうした構成であれば、第２屈曲部ＬＣ２の形成や第２屈曲部ＬＣ２における引き上げコードＬＳの移動が円滑である。
【００９４】
・日射遮蔽装置は、横型ブラインド１０に限らず、無端の環形状を有する操作コードがヘッドボックスから吊り下げられる日射遮蔽装置であればよく、例えば、ロールスクリーン、プリーツスクリーンであってもよい。
【００９５】
・日射遮蔽部材の位置を変えるコードは、紐体である操作コードＬＭに限らず、チェーンであってもよい。また、引き上げコードＬＳもまた、紐体に限らず、チェーンであってもよい。
【００９６】
上記第２実施形態、および、その変形例によれば以下の技術的思想が導き出される。
（付記４）
建築物に据え付けられる支持部材と、前記支持部材から垂れ下がる無端の環形状を有したコードであって、日射遮蔽部材の位置を変える前記コードの操作時において前記支持部材から引き下げられる前記コードと、前記コードの非操作時において前記コードに屈曲部を形成するコード保持部であって、前記コードの無端縁を前記コードの操作時よりも高い前記コード保持部の近くに保持する前記コード保持部と、を備える日射遮蔽装置であって、
前記コード保持部は、前記コードが通される接続部を引き寄せて前記コードの無端縁を移動させる引き寄せコードを備えることを特徴とする日射遮蔽装置。
【００９７】
（第３実施形態）
図２２から図３３を参照して本開示の技術の第３実施形態を説明する。第３実施形態は、本開示の技術における日射遮蔽装置がカーテン移送装置に具体化された一例である。なお、図２２から図３４は、操作コードＬＭの操作時であって、操作コードＬＭが下方に向かって引っ張られているときのカーテン移送装置の状態を示す。
【００９８】
まず、図２２を参照して操作コードの操作時におけるカーテン移送装置の正面構造を説明し、次いで、図２３、および、図２４を参照してカーテン移送装置の平面構造、および、側面構造を説明する。
【００９９】
［カーテン移送装置５０の構成］
図２２が示すように、支持部材の一例であるカーテン移送装置５０のカーテンレール５１は、カーテンレール５１の長手方向における両端部の各々にベルトプーリー５２を収容している。２つのベルトプーリー５２には、無端の帯形状を有するベルト５３が掛かっている。ベルト５３の中で紙面の手前側（前側）に位置する部分には、先頭ランナー５４Ａ、および、複数の従動ランナー５４Ｂが接続している。先頭ランナー５４Ａ、および、複数の従動ランナー５４Ｂは、前側のカーテン５５を支持している。なお、ベルト５３の中で紙面の奥側（後側）に位置する部分にも、図示されない先頭ランナー５４Ａ、および、複数の従動ランナー５４Ｂが接続している。また、これら先頭ランナー５４Ａ、および、複数の従動ランナー５４Ｂも、図示されない後側のカーテンを支持している。
【０１００】
そして、ベルト５３の中で前側に位置する部分が、紙面の右から左に向かって移動するように、ベルト５３が回転するとき、先頭ランナー５４Ａと複数の従動ランナー５４Ｂとは、紙面の右から左に向かって移動する。反対に、ベルト５３の中で前側に位置する部分が、紙面の左から右に向かって移動するように、ベルト５３が回転するとき、先頭ランナー５４Ａと複数の従動ランナー５４Ｂとは、紙面の左から右に向かって移動する。なお、図示されない後側の先頭ランナーや複数の従動ランナーもまた、ベルト５３における接続先に対して同様の方向に沿って移動し、図示されない後側のカーテンもまた、その接続先に対して同様の方向に沿って移動する。
【０１０１】
操作コードＬＭは、ベルト５３の延びる方向において、ベルト５３の略中間である接続点ＪＬに接続している。操作コードＬＭは、ベルト５３の延びる方向に沿って接続点ＪＬからカーテンレール５１の左側端部へ引き回されて、カーテンレール５１の左側端部からカーテンレール５１の下方に向かって垂れ下がっている。カーテンレール５１の左側端部は、操作プーリーＬＭＰを収容し、操作プーリーＬＭＰは、操作コードＬＭを接続点ＪＬからカーテンレール５１の左側端部へ案内し、かつ、カーテンレール５１の左側端部からカーテンレール５１の下方へ案内している。
【０１０２】
カーテンレール５１の延びる方向において、カーテンレール５１の右側端部の外側には、ガイドボックス６１が位置している。ガイドボックス６１は、例えば、カーテン移送装置５０の設置される建築物の壁面に固定されている。ガイドボックス６１の内部には、コード保持部を構成する引き上げプーリー６２が位置している。
【０１０３】
操作コードＬＭは、操作コードＬＭの高さ方向における途中の部位において、コード保持部において接続部を構成する第１接続リングＪ１を通り、第１接続リングＪ１には、第１引き上げコードＬＳ１の基端が接続している。第１引き上げコードＬＳ１の先端は、第２接続リングＪ２に接続し、第２接続リングＪ２には、第２引き上げコードＬＳ２の基端が接続している。第２引き上げコードＬＳ２は、ガイドボックス６１に形成されたコード挿通孔６１Ｈを通じて、引き上げプーリー６２の上側に掛けられ、引き上げプーリー６２を介して、コード保持部において変位部を構成するウエイト６３に接続している。ガイドボックス６１に形成されたコード挿通孔６１Ｈは、第２引き上げコードＬＳ２を通し、かつ、第２接続リングＪ２を通さない大きさを有している。コード挿通孔６１Ｈの高さは、操作コードＬＭの下端である無端縁Ｌｅよりも上側である。
【０１０４】
図２３が示すように、１本の操作コードＬＭは、前後一対のコード要素Ｌｐから構成され、ベルト５３は、前後一対のコード要素Ｌｐの各々に対応する接続点ＪＬを有している。前後一対のコード要素Ｌｐの中でカーテンレール５１の前側に位置するコード要素Ｌｐは、前後一対の接続点ＪＬの中でカーテンレール５１の前側に位置する接続点ＪＬに接続している。前後一対のコード要素Ｌｐの中でカーテンレール５１の後側に位置するコード要素Ｌｐは、前後一対の接続点ＪＬの中でカーテンレール５１の後側に位置する接続点ＪＬに接続している。
【０１０５】
カーテンレール５１の左側端部は、前後一対のコード要素Ｌｐの各々に対応する操作プーリーＬＭＰを収容している。カーテンレール５１の前側に位置する操作コードＬＭは、カーテンレール５１の前側に位置する接続点ＪＬから、カーテンレール５１の前側に位置する操作プーリーＬＭＰ上へ引き回されている。カーテンレール５１の後側に位置する操作コードＬＭは、カーテンレール５１の後側に位置する接続点ＪＬから、カーテンレール５１の前側に位置する操作プーリーＬＭＰ上へ引き回されている。
【０１０６】
図２４が示すように、前後一対の操作プーリーＬＭＰから垂れ下がるコード要素Ｌｐの各々の下端は、コード要素Ｌｐの下端同士で接続する無端縁Ｌｅを形成している。カーテン移送装置５０は、前後一対のコード要素Ｌｐの各々に対応する第１接続リングＪ１を備え、カーテンレール５１の前側に位置するコード要素Ｌｐは、前側の第１接続リングＪ１を通り、かつ、カーテンレール５１の後側に位置するコード要素Ｌｐは、後側の第１接続リングＪ１を通っている。前後一対の第１接続リングＪ１の各々に接続する第１引き上げコードＬＳ１は、共通する１つの第２接続リングＪ２に接続している。なお、第１引き上げコードＬＳ１は、第２接続リングＪ２の内側を通り、第１引き上げコードＬＳ１の両端部の各々が第１接続リングＪ１に接続する１本のコードによって構成されてもよい。
【０１０７】
［カーテン移送装置５０の作用］
図２５の二点鎖線が示すように、操作コードＬＭが操作されるとき、例えば、操作コードＬＭにおける前側のコード要素Ｌｐが引き下げられ、操作コードＬＭにおける後側のコード要素Ｌｐがカーテンレール５１に引き込まれる。そして、前側の接続点ＪＬが紙面の右から左に移動して、前側のカーテン５５が紙面の右から左に移動する。また、後側の接続点ＪＬが紙面の左から右に移動して、後側のカーテンが紙面の右から左に移動する。
【０１０８】
操作コードＬＭの操作が終了すると、操作コードＬＭを下方に向かって引っ張る力が、操作コードＬＭから取り除かれる。そして、ウエイト６３がそれ自体の重みに従って降下し、図２５の太矢印が示すように、第１接続リングＪ１は、第１引き上げコードＬＳ１、第２接続リングＪ２、および、第２引き上げコードＬＳ２を通じて、紙面の右に向かってウエイト６３に引っ張られる。また、第１接続リングＪ１を通る操作コードＬＭも、ウエイト６３に引っ張られてガイドボックス６１に近づく。
【０１０９】
この際に、第１接続リングＪ１の高さ方向における位置は、操作コードＬＭと第１接続リングＪ１との摩擦によってほぼ維持される一方で、第１接続リングＪ１の水平方向における位置は、コード挿通孔６１Ｈに向かって変わる。結果として、第１接続リングＪ１を通る操作コードＬＭは、操作プーリーＬＭＰを中心として回転し、第１接続リングＪ１が紙面の右に移動する分だけ、操作コードＬＭにおける無端縁Ｌｅを高くする。そして、操作コードＬＭは、第１接続リングＪ１によって、操作プーリーＬＭＰと第１接続リングＪ１とを結ぶ線分と、第１接続リングＪ１から下方に垂れ下がる線分とに区画され、第１接続リングＪ１において第１屈曲部ＬＣ１を形成する。
【０１１０】
第１接続リングＪ１における紙面の右への移動は、第２接続リングＪ２とガイドボックス６１との当接によって止る。そして、操作コードＬＭの状態は、操作コードＬＭが接続点ＪＬから受ける張力と、操作コードＬＭが第１引き上げコードＬＳ１から受ける張力との釣り合いによって安定する。なお、操作コードＬＭが再び操作されるとき、操作コードＬＭの無端縁Ｌｅは、ウエイト６３による張力に抗した力によって引き下げられて、図２５の二点鎖線が示すように、操作プーリーＬＭＰからほぼ鉛直方向に沿って引っ張られながら操作される。
【０１１１】
上記第３実施形態によれば以下の効果が得られる。
（１）操作コードＬＭは、第１屈曲部ＬＣ１において２つに折り曲げられ、かつ、操作プーリーＬＭＰから引き上げプーリー６２に向かって引き回される。それゆえに、操作コードＬＭが折り曲げられない構成と比べて、操作コードＬＭが垂れ下がることに起因して操作コードＬＭが誤って操作されることが抑えられる。
【０１１２】
（２）操作コードＬＭの操作に際して一旦引き下げられた操作コードＬＭは、ウエイト６３の重みの作用によって、操作コードＬＭの操作の終了と共に再び引き上げられる。結果として、操作コードＬＭが操作されるときにのみ操作コードＬＭが引き下げられるため、操作コードＬＭが垂れ下がることに起因して操作コードＬＭが誤って操作されることが、さらに抑えられる。
【０１１３】
（３）第２接続リングＪ２とガイドボックス６１との当接によってウエイト６３の降下が止められる。そして、第１引き上げコードＬＳ１と第２引き上げコードＬＳ２とを接続する機能と、ウエイト６３の降下を止める機能とを１つの第２接続リングＪ２が兼ね備えるため、これらの機能が別部材によって実現される構成と比べて、カーテン移送装置５０を構成する部材の点数が少ない。
【０１１４】
（４）前後一対のコード要素Ｌｐの各々が、別々の第１接続リングＪ１によって引き上げられる。それゆえに、一方のコード要素Ｌｐのみが第１接続リングＪ１によって引き上げられる構成と比べて、操作コードＬＭにおける無端縁Ｌｅの位置は、引き上げによって高くなる。結果として、操作コードＬＭが垂れ下がることに起因して操作コードＬＭが誤って操作されることが、さらに抑えられる。
【０１１５】
（５）前後一対のコード要素Ｌｐの各々が、共通する１つのウエイト６３に接続している。それゆえに、一方のコード要素Ｌｐのみがウエイト６３に接続する構成と比べて、前側の接続点ＪＬに作用する張力と、後側の接続点ＪＬに作用する張力との均一性が高まる。結果として、操作コードＬＭの引き上げに際してベルト５３が移動することが抑えられもする。
【０１１６】
（６）操作コードＬＭの無端縁Ｌｅが操作コードＬＭの操作時よりも高い引き上げプーリー６２や接続リング３２の近くに保持されるため、カーテン移送装置５０の設置された空間に居住する居住者が操作コードＬＭに引っ掛かる危険性が抑えられる。
上記第３実施形態は以下のように変更して実施できる。
【０１１７】
［第１接続リングＪ１の位置］
・第１接続リングＪ１は、カーテンレール５１の外部に限らず、下記第１０変形例、および、第１１変形例が示すように、カーテンレール５１の内部に位置してもよい。
【０１１８】
［第１０変形例］
・図２６が示すように、第１接続リングＪ１は、カーテンレール５１の内部に位置し、操作コードＬＭにおいて、接続点ＪＬと操作プーリーＬＭＰとの間の線分が、第１接続リングＪ１に通っている。カーテンレール５１は、操作プーリーＬＭＰを左側端部に収容し、引き上げプーリー６２、および、ストッパー６１Ｓを右側端部に収容している。
【０１１９】
第１引き上げコードＬＳ１は、第１接続リングＪ１と第２接続リングＪ２とに接続し、第２接続リングＪ２は、接続点ＪＬとストッパー６１Ｓとの間に位置している。第２引き上げコードＬＳ２の基端は、第２接続リングＪ２に接続し、第２引き上げコードＬＳ２の先端は、ストッパー６１Ｓに形成されたコード挿通孔、および、引き上げプーリー６２を介してカーテンレール５１の下方に垂れ下がり、ウエイト６３に接続している。ストッパー６１Ｓに形成されたコード挿通孔は、第２引き上げコードＬＳ２を通し、かつ、第２接続リングＪ２を通さない大きさを有している。
【０１２０】
図２７が示すように、カーテン移送装置５０は、前後一対のコード要素Ｌｐの各々に対応する第１接続リングＪ１を備え、カーテンレール５１の前側に位置するコード要素Ｌｐは、前側の第１接続リングＪ１を通り、かつ、カーテンレール５１の後側に位置するコード要素Ｌｐは、後側の第１接続リングＪ１を通っている。前後一対の第１接続リングＪ１の各々に接続する１本の第１引き上げコードＬＳ１は、一方の端部において前側の第１接続リングＪ１に接続し、他方の端部において後側の第１接続リングＪ１に接続している。１本の第１引き上げコードＬＳ１の途中には、カーテンレール５１の内部に位置する共通する１つの第２接続リングＪ２が通っている。
【０１２１】
図２８の二点鎖線が示すように、こうしたカーテン移送装置５０においても、例えば、操作コードＬＭにおける前側のコード要素Ｌｐが引き下げられ、かつ、操作コードＬＭにおける後側のコード要素Ｌｐが引き込まれるとき、前側の接続点ＪＬが紙面の右から左に移動して、前側のカーテン５５が紙面の右から左に移動する。また、後側の接続点ＪＬが紙面の左から右に移動して、後側のカーテンが紙面の右から左に移動する。
【０１２２】
操作コードＬＭの操作が終了すると、操作コードＬＭを下方に引っ張る力が、操作コードＬＭから取り除かれる。そして、ウエイト６３がそれの重みに従って降下し、第１接続リングＪ１は、第１引き上げコードＬＳ１、第２接続リングＪ２、および、第２引き上げコードＬＳ２を通じてウエイト６３に引っ張られる。第１接続リングＪ１を通る操作コードＬＭは、図２８の実線、および、図２９が示すように、第１接続リングＪ１と共に接続点ＪＬよりも右へ引き込まれ、接続点ＪＬと第１接続リングＪ１との間において２つに折り曲げられる。すなわち、操作プーリーＬＭＰから右側に延びる操作コードＬＭは、カーテンレール５１の内部において右側に凸となる第１屈曲部ＬＣ１を形成し、接続点ＪＬと第１接続リングＪ１との間において左右方向に沿って往復する往復部ＬＭＤを形成する。
【０１２３】
第１接続リングＪ１における紙面の右への移動は、第２接続リングＪ２とストッパー６１Ｓとの当接によって止る。そして、操作コードＬＭの状態は、操作コードＬＭが接続点ＪＬから受ける張力と、操作コードＬＭが第１引き上げコードＬＳ１から受ける張力との釣り合いによって安定する。なお、操作コードＬＭが再び操作されるとき、操作コードＬＭの無端縁Ｌｅは、ウエイト６３による張力に抗した力によって引き下げられて、図２８の二点鎖線が示すように、操作プーリーＬＭＰからほぼ鉛直方向に沿って引っ張られながら操作される。
【０１２４】
なお、ストッパー６１Ｓは、カーテンレール５１の内部に限らず、例えば、カーテンレール５１の外側に位置する操作コードＬＭに設けられてもよい。この際に、ストッパー６１Ｓは、操作コードＬＭにおける無端縁Ｌｅの上昇に際してカーテンレール５１の下面と当接し、これによって、第１接続リングＪ１の移動を止める機能を発揮してもよい。さらに、こうした構成において、カーテンレール５１の内部からストッパー６１Ｓは割愛され、これに伴い、操作コードＬＭにおける無端縁Ｌｅが上昇するときに、第２接続リングＪ２がカーテンレール５１の下方に引っ張り出されてもよい。こうした構成であれば、第２接続リングＪ２の移動する範囲が、カーテンレール５１の内側とカーテンレール５１の外側とに拡張されるため、第２接続リングＪ２の移動する範囲、ひいては、第１接続リングの移動する範囲が広がる。結果として、１本の第１引き上げコードＬＳ１の長さを長くすることが可能であるから、操作コードＬＭの操作時において、接続点ＪＬの移動する範囲が第１引き上げコードＬＳ１の長さによって規制されることが抑えられる。
こうした構成においても第３実施形態に記載の（１）から（５）に準じた効果は得られ、これらに加え以下の効果も得られる。
【０１２５】
（６）操作コードＬＭにおける第１屈曲部ＬＣ１や、操作コードＬＭにおける往復部ＬＭＤが、カーテンレール５１の内部に収容されるため、これら第１屈曲部ＬＣ１や往復部ＬＭＤがカーテン移送装置５０の外側から視認されることが抑えられる。それゆえに、カーテン移送装置５０の意匠性が高まる。
【０１２６】
（７）操作コードＬＭの操作時において、接続点ＪＬから操作プーリーＬＭＰに向かって操作コードＬＭは引き回れる。一方で、操作コードＬＭの引き上げ時において、接続点ＪＬから引き上げプーリー６２に向かって操作コードＬＭは新たに引き込まれ、かつ、新たに引き込まれた部位において、左右方向に沿って往復する往復部ＬＭＤを形成する。それゆえに、接続点ＪＬから引き上げプーリー６２に向かって操作コードＬＭが単に引き込まれる構成と比べて、ウエイト６３の単位降下量に対する無端縁Ｌｅの上昇量が大きい。そのため、第３実施形態に記載の（１）（２）（４）に準じた効果がさらに高まる。
【０１２７】
［第１１変形例］
・図３０が示すように、カーテンレール５１は、カーテンレール５１の内部において、操作プーリーＬＭＰと接続点ＪＬとの間に、引き上げプーリー６２を収容している。第１接続リングＪ１は、カーテンレール５１の内部に位置し、操作コードＬＭにおいて、操作プーリーＬＭＰと引き上げプーリー６２との間の線分が、第１接続リングＪ１に通っている。第１引き上げコードＬＳ１は、カーテンレール５１の内部において第１接続リングＪ１に接続し、カーテンレール５１に形成されたコード挿通孔を通して垂れ下がり、カーテンレール５１の外部においてウエイト６３に接続している。ウエイト６３は、ストッパーコードＬＳ３を介してストッパーリングＪＳに接続している。
【０１２８】
図３１が示すように、カーテン移送装置５０は、前後一対のコード要素Ｌｐの各々に対応する第１接続リングＪ１を備え、カーテンレール５１の前側に位置するコード要素Ｌｐは、前側の第１接続リングＪ１を通り、かつ、カーテンレール５１の後側に位置するコード要素Ｌｐは、後側の第１接続リングＪ１を通っている。前後一対の第１接続リングＪ１の各々に接続する第１引き上げコードＬＳ１は、共通する１つのウエイト６３に接続している。
【０１２９】
図３２が示すように、カーテンレール５１から垂れ下がる操作コードＬＭの中で後側に位置するコード要素Ｌｐは、ストッパーリングＪＳの内側を通っている。カーテンレール５１から垂れ下がる操作コードＬＭの中で前側に位置するコード要素Ｌｐは、ストッパーリングＪＳの外側を通っている。
【０１３０】
図３３の二点鎖線が示すように、こうしたカーテン移送装置５０においても、例えば、操作コードＬＭにおける前側のコード要素Ｌｐが引き下げられ、かつ、操作コードＬＭにおける後側のコード要素Ｌｐが引き込まれるとき、前側の接続点ＪＬが紙面の右から左に移動して、前側のカーテン５５が紙面の右から左に移動する。また、後側の接続点ＪＬが紙面の左から右に移動して、後側のカーテンが紙面の右から左に移動する。
【０１３１】
操作コードＬＭの操作が終了すると、操作コードＬＭを下方に引っ張る力が、操作コードＬＭから取り除かれる。そして、ウエイト６３がそれの重みに従って降下し、第１接続リングＪ１は、第１引き上げコードＬＳ１を通じてウエイト６３に引っ張られる。第１接続リングＪ１を通る操作コードＬＭは、図３３の実線が示すように、操作プーリーＬＭＰと引き上げプーリー６２との案内によって、第１接続リングＪ１と共にカーテンレール５１の下方へ引き出される。カーテンレール５１の下方へ引き出された操作コードＬＭは、下方に向かって凸となる第１屈曲部ＬＣ１を形成し、操作プーリーＬＭＰと引き上げプーリー６２との間において上下方向に沿って往復する往復部ＬＭＤを形成する。
【０１３２】
操作コードＬＭの無端縁Ｌｅは、第１屈曲部ＬＣ１と往復部ＬＭＤとの形成によって上昇する。一方で、操作コードＬＭにおける無端縁Ｌｅの上昇は、ウエイト６３と共に降下するストッパーリングＪＳと無端縁Ｌｅとの係合によって止る。そして、ウエイト６３の降下や第１接続リングＪ１の降下もまた、ストッパーリングＪＳと無端縁Ｌｅとの係合によって止る。なお、操作コードＬＭが再び操作されるとき、操作コードＬＭの無端縁Ｌｅは、ウエイト６３による張力に抗した力によって引き下げられて、図３３の二点鎖線が示すように、操作プーリーＬＭＰからほぼ鉛直方向に沿って引っ張られながら操作される。
こうした構成においても第３実施形態に記載の（１）から（５）に準じた効果は得られ、また、第１０変形例に記載の（７）に準じた効果も得られる。
【０１３３】
［他の変形例］
・ウエイト６３は、第２実施形態と同じく、例えば、金属などから形成された重量部と、重量部の全体を覆う弾性部とから構成されることが好ましい。
・第１接続リングＪ１に作用する力は、ウエイト６３の重力に限らず、第１接続リングＪ１の変位を通じて、操作コードＬＭの無端縁を上方に向かって付勢する力であればよく、例えば、一定のトルクを出力するトルクバネであってもよい。
【０１３４】
・日射遮蔽装置は、カーテン移送装置５０に限らず、無端の環形状を有する操作コードがヘッドボックスから吊り下げられる日射遮蔽装置であればよく、例えば、縦型ブラインドであってもよい。
【０１３５】
・日射遮蔽部材の位置を変えるコードは、紐体である操作コードＬＭに限らず、チェーンであってもよい。また、第１引き上げコードＬＳ１、および、第２引き上げコードＬＳ２もまた、紐体に限らず、チェーンであってもよい。
【０１３６】
上記第３実施形態、および、その変形例によれば以下の技術的思想が導き出される。
（付記５）
建築物に据え付けられる支持部材と、前記支持部材から垂れ下がる無端の環形状を有したコードであって、日射遮蔽部材の位置を変える前記コードの操作時において前記支持部材から引き下げられる前記コードと、前記コードの非操作時において前記コードに屈曲部を形成するコード保持部であって、前記コードの無端縁を前記コードの操作時よりも高い前記コード保持部の近くに保持する前記コード保持部と、を備える日射遮蔽装置であって、
前記コード保持部は、前記コードが通される接続部と、前記接続部に接続して前記接続部を変位させる変位部と、を備え、前記接続部において屈曲する前記屈曲部を前記接続部の変位によって形成して前記コードの無端縁を引き寄せることを特徴とする日射遮蔽装置。
【０１３７】
（第４実施形態）
図３１から図３６を参照して本開示の技術の第４実施形態を説明する。第４実施形態は、本開示の技術における日射遮蔽装置が横型ブラインドに具体化された一例である。なお、第４実施形態における横型ブラインドは、コード保持部が第１実施形態とは異なる一方で、それ以外の主たる構成は第１実施形態の横型ブラインドと同様である。以下では、こうした差異を説明し、第１実施形態に記載の横型ブラインドと同様の構成については、同一の符号を付してその説明を割愛する。
【０１３８】
［コード保持部７１の構成］
図３４が示すように、横型ブラインド７０における操作コードＬＭは、ヘッドボックス１１のコードゲート１１Ｈから吊り下げられている。操作コードＬＭは、コードゲート１１Ｈから吊り下げられた２本のコード要素Ｌｐの各々の下端が相互に接続する無端の環形状を有している。操作コードＬＭの途中には、２本のコード要素Ｌｐの各々が通るコード保持部７１が取り付けられている。
【０１３９】
図３５が示すように、コード保持部７１は、円盤形状を有する従動プーリー７２と、相互に嵌合する後側ケース７５Ａ、および、前側ケース７５Ｂとから構成されている。
【０１４０】
従動プーリー７２の中心には、従動プーリー７２の軸心に沿って延びる円形孔である軸挿通孔７３が貫通している。従動プーリー７２の外周面は、従動プーリー７２の径方向の外側に向かって延びる複数の係止突起７４を有している。複数の係止突起７４の各々は、従動プーリー７２の外周面において後側に位置する後側の係止突起７４と、従動プーリー７２の外周面において前側に位置する前側の係止突起７４とから構成されている。後側の係止突起７４は、従動プーリー７２の周方向に沿って等配されている。前側の係止突起７４は、これもまた従動プーリー７２の周方向に沿って等配され、かつ、従動プーリー７２の周方向において前側の係止突起７４と後側の係止突起７４とが重ならないように位置している。前側の係止突起７４と後側の係止突起７４とは、これらの間の間隔が径方向の外側に向かって広くなるように、先細り形状を有している。
【０１４１】
後側ケース７５Ａは、略円形孔形状を有した窪みである収容凹部７７を有している。収容凹部７７は、従動プーリー７２を収容するための窪みであって、収容凹部７７の底面の中央に円筒形状を有した回転軸７８を有している。また、収容凹部７７は、回転軸７８の径方向の外側に向かって凸となる円弧面を収容凹部７７の内側面として有している。
【０１４２】
後側ケース７５Ａの上側壁には、収容凹部７７につながる第１導入溝Ｈｉ１が形成され、後側ケース７５Ａの下側壁には、第１導入溝Ｈｉ１と対向する位置に、これもまた収容凹部７７につながる第１導出溝Ｈｏ１が形成されている。また、後側ケース７５Ａの下側壁には、収容凹部７７につながる第２導入溝Ｈｉ２が形成され、後側ケース７５Ａの上側壁には、第２導入溝Ｈｉ２と対向する位置に、これもまた収容凹部７７につながる第２導出溝Ｈｏ２が形成されている。
【０１４３】
前側ケース７５Ｂの下側壁には、下方に向かって延びるフック７９が取り付けられている。フック７９の上端部は嵌合部を備え、フック７９の嵌合部は、前側ケース７５Ｂの下側壁に形成された嵌合溝に取り外し可能に嵌合している。前側ケース７５Ｂにおける内部の構造は、回転軸７８を有していない点において後側ケース７５Ａと異なる一方で、それ以外の点において後側ケース７５Ａと同様である。
【０１４４】
第１導入溝Ｈｉ１と第１導出溝Ｈｏ１との間には、１本のコード要素Ｌｐが通されている。第１導入溝Ｈｉ１と第１導出溝Ｈｏ１との間を通るコード要素Ｌｐは、回転軸７８の右側に通され、従動プーリー７２における前側の係止突起７４と後側の係止突起７４とに挟まれている。
【０１４５】
第２導入溝Ｈｉ２と第２導出溝Ｈｏ２との間には、他の１本のコード要素Ｌｐが通されている。第２導入溝Ｈｉ２と第２導出溝Ｈｏ２との間を通るコード要素Ｌｐは、回転軸７８の左側に通され、これもまた従動プーリー７２における前側の係止突起７４と後側の係止突起７４とに挟まれている。
【０１４６】
［コード保持部７１の作用］
図３７が示すように、操作コードＬＭが操作されるとき、まず、第１導入溝Ｈｉ１と第１導出溝Ｈｏ１との間を通るコード要素Ｌｐが、そのコード要素Ｌｐを第１導出溝Ｈｏ１から引き出すための操作力Ｆｏを利用者から受けて、第１導出溝Ｈｏ１から引き出される。この際に、コード要素Ｌｐを引き出すための操作力Ｆｏの一部は、従動プーリー７２の係止突起７４とそのコード要素Ｌｐとの係合を通じて、従動プーリー７２を紙面にける右回りに回転させる。
【０１４７】
一方で、従動プーリー７２における右回りの回転力は、従動プーリー７２の係止突起７４と他方のコード要素Ｌｐとの係合を通じて、他方のコード要素Ｌｐを第２導入溝Ｈｉ２から引き込むための操作力Ｆｉに変換される。結果として、一方のコード要素Ｌｐが第１導出溝Ｈｏ１から引き出されるとき、一方のコード要素Ｌｐの引き出される長さとほぼ同じ長さだけ、他方のコード要素Ｌｐが第２導入溝Ｈｉ２から引き込まれる。それゆえに、操作コードＬＭにおけるコード保持部７１の位置は、操作コードＬＭの回転する操作の有無にかかわらず、操作コードＬＭの回転する方向においてほぼ一定に保たれる。そして、操作コードＬＭの回転する操作において操作コードＬＭの高さが保たれるため、コード保持部７１の高さも保たれる。なお、こうした操作コードＬＭの操作によって、スラット１４の開閉、あるいは、スラット１４の昇降が調節される。
【０１４８】
操作コードＬＭの操作が終了すると、操作コードＬＭにおける無端縁Ｌｅは、利用者によってフック７９に引っ掛けられる。これによって、操作コードＬＭは、下方に向かって凸となる屈曲部を形成して、上下方向に沿って折り曲げられる。そして、操作コードＬＭの操作前と操作コードＬＭの操作後とにおいて、コード保持部７１の高さがほぼ保たれるため、操作コードＬＭの操作が繰り返されるとしても、操作コードＬＭにおける屈曲部の高さはほぼ一定に保たれる。
【０１４９】
なお、コード保持部７１による操作コードＬＭの引き上げは、利用者によってフック７９に無端縁Ｌｅが引っ掛けられることに限らず、例えば、操作コードＬＭにおける定点としてコード保持部７１が機能して、以下のように操作コードＬＭが引き上げられてもよい。
【０１５０】
図３７が示すように、上記第５変形例と同様に、１つのヘッドボックス１１が２つのコードホルダー８１を備えている。２つのコードホルダー８１の各々は、ヘッドボックス１１において相互に異なる端部に取り付けられ、２つのコードホルダー８１の各々には、引き寄せ部を構成する引き上げコードＬＳが挿通する挿通孔が形成されている。２つのコードホルダー８１に通される引き上げコードＬＳは、ヘッドボックス１１の右側端部Ｅ１からヘッドボックス１１の左側端部Ｅ２に引き回されている。
【０１５１】
２つのコードホルダー８１の中でヘッドボックス１１の左側端部Ｅ２に近いコードホルダー８１からは、引き上げコードＬＳの基端部が垂れ下がり、その引き上げコードＬＳの基端部はウエイト３３に接続している。２つのコードホルダー８１の中でヘッドボックス１１の右側端部Ｅ１に近いコードホルダー８１からは、引き上げコードＬＳの先端部が垂れ下がり、その引き上げコードＬＳの先端部はコード保持部７１に接続している。
【０１５２】
図３８が示すように、操作コードＬＭの操作が終了すると、ウエイト３３がそれの重みに従って降下して、引き上げコードＬＳの基端部が、ウエイト３３の降下と共に降下する。一方で、引き上げコードＬＳの先端部は、ウエイト３３の降下と共に上昇し、引き上げコードＬＳの先端部に接続するコード保持部７１も上昇する。この際に、コード保持部７１は、操作コードＬＭにおいてそれ自体の位置を保つため、コード保持部７１は、操作コードＬＭと共々上昇する。結果として、操作コードＬＭの非操作時において、コード保持部７１の上側に位置していた操作コードＬＭは、コード保持部７１とコードゲート１１Ｈとの接近によって弛み、下方に向かって凸となる屈曲部を形成して、上下方向に沿って往復する往復部ＬＭＤとして折れ曲がる。そして、ウエイト３３の降下は、コード保持部７１とコードゲート１１Ｈとの当接によって停止する。
【０１５３】
上記第４実施形態によれば以下の効果が得られる。
（１）操作コードＬＭが、屈曲部において２つに折り曲げられるため、操作コードＬＭが折り曲げられない構成と比べて、操作コードＬＭが垂れ下がることに起因して操作コードＬＭが誤って操作されることが抑えられる。
【０１５４】
（２）操作コードＬＭの操作前と操作コードＬＭの操作後において、コード保持部７１の高さがほぼ保たれるため、折り曲げられた操作コードＬＭの高さが、操作コードＬＭの操作ごとにばらつくことも抑えられる。
【０１５５】
（３）コード保持部７１は、操作コードＬＭにおける定点として機能し、そのコード保持部７１の上昇によって操作コードＬＭが引き上げられる。そして、コード保持部７１は、操作コードＬＭの引き上げられる距離を定めるストッパーとしても機能する。なお、コード保持部７１が最上位置に到達した状態で、操作コードＬＭの無端縁がフック７９に引っ掛けられる形態であれば、操作コードＬＭの位置がさらに高まる。
【０１５６】
（４）操作コードＬＭの無端縁Ｌｅが操作コードＬＭの操作時よりも高いコード保持部７１の近くに保持されるため、横型ブラインド７０の設置された空間に居住する居住者が操作コードＬＭに引っ掛かる危険性が抑えられる。
【０１５７】
上記第４実施形態は以下のように変更して実施できる。
・日射遮蔽装置は、横型ブラインド７０に限らず、無端の環形状を有する操作コードがヘッドボックスから吊り下げられる日射遮蔽装置であればよく、例えば、縦型ブラインド、ロールスクリーン、プリーツスクリーン、カーテン移送装置であってもよい。
・日射遮蔽部材の位置を変えるコードは、紐体である操作コードＬＭに限らず、チェーンであってもよい。
【０１５８】
上記第４実施形態、および、その変形例によれば以下の技術的思想が導き出される。
（付記６）
建築物に据え付けられる支持部材と、前記支持部材から垂れ下がる無端の環形状を有したコードであって、日射遮蔽部材の位置を変える前記コードの操作時において前記支持部材から引き下げられる前記コードと、前記コードの非操作時において前記コードに屈曲部を形成するコード保持部であって、前記コードの無端縁を前記コードの操作時よりも高い前記コード保持部の近くに保持する前記コード保持部と、を備える日射遮蔽装置であって、
前記コード保持部は、前記コードが通される接続部と、
前記接続部に接続して前記接続部を引き寄せる引き寄せ部と、を備え、
前記接続部が、前記コードの回転を受けて回転するプーリーを有し、前記プーリーが回転することによって、前記コードの回転する方向において前記コードに対する位置を保ち、かつ、前記引き寄せ部による前記接続部の引き寄せによって前記コードの無端縁を引き寄せて、前記無端縁とコードゲートとの間に前記屈曲部を形成することを特徴とする日射遮蔽装置。
【符号の説明】
【０１５９】
Ａ１…固定軸、Ａ２…可動軸、Ｊ１…第１接続リング、Ｊ２…第２接続リング、ＬＣ１…第１屈曲部、ＬＭ…操作コード、１１…ヘッドボックス、２０,３０,７１…コード保持部、２１，３１，８１…コードホルダー、３２…接続リング、３３,６３…ウエイト、５１…カーテンレール。
【図１】
2015105538.tif 000003
【図２】
2015105538.tif 000004
【図３】
2015105538.tif 000005
【図４】
2015105538.tif 000006
【図５】
2015105538.tif 000007
【図６】
2015105538.tif 000008
【図７】
2015105538.tif 000009
【図８】
2015105538.tif 000010
【図９】
2015105538.tif 000011
【図１０】
2015105538.tif 000012
【図１１】
2015105538.tif 000013
【図１２】
2015105538.tif 000014
【図１３】
2015105538.tif 000015
【図１４】
2015105538.tif 000016
【図１５】
2015105538.tif 000017
【図１６】
2015105538.tif 000018
【図１７】
2015105538.tif 000019
【図１８】
2015105538.tif 000020
【図１９】
2015105538.tif 000021
【図２０】
2015105538.tif 000022
【図２１】
2015105538.tif 000023
【図２２】
2015105538.tif 000024
【図２３】
2015105538.tif 000025
【図２４】
2015105538.tif 000026
【図２５】
2015105538.tif 000027
【図２６】
2015105538.tif 000028
【図２７】
2015105538.tif 000029
【図２８】
2015105538.tif 000030
【図２９】
2015105538.tif 000031
【図３０】
2015105538.tif 000032
【図３１】
2015105538.tif 000033
【図３２】
2015105538.tif 000034
【図３３】
2015105538.tif 000035
【図３４】
2015105538.tif 000036
【図３５】
2015105538.tif 000037
【図３６】
2015105538.tif 000038
【図３７】
2015105538.tif 000039
【図３８】
2015105538.tif 000040